(57)【要約】      （修正有）【課題】ウインチの駆動に大きな駆動力を必要とせず、最適な位置にウインチを設置することができ、風にも対応することのできるネット又はシート体の移動装置を提供する。【解決手段】空間部に取り付けた複数の滑車２と、該滑車間でエンドレス状に架け渡した吊張ロープ３と、該吊張ロープに直接又はガイド用ロープ４を介して取り付けられたネット５又はシート体と、前記吊張ロープの滑車への取り込み側又は取り出し側に連結した駆動用ロープ６と、該駆動用ロープを巻回ドラムに巻回した駆動用のウインチ７から構成されている。【選択図】図１
2012136353.tif 000002
【特許請求の範囲】
【請求項１】
空間部に取り付けた複数の滑車と、該滑車間でエンドレス状に架け渡した吊張用ロープと、該吊張用ロープに直接又はガイド用ロープを介して取り付けられたネット又はシート体と、前記吊張用ロープの滑車への取り込み側又は滑車よりの取り出し側に連結した駆動用ロープと、該駆動用ロープを巻回ドラムに巻回した駆動用のウインチから構成されていることを特徴とするネット又はシート体の移動装置。
【請求項２】
空間部に取り付けた複数の滑車と、該滑車間でエンドレス状に架け渡した吊張用ロープと、該吊張用ロープに直接又はガイド用ロープを介して取り付けられたネット又はシート体と、前記吊張用ロープの滑車への取り込み側及び／又は滑車よりの取り出し側の所望の位置にそれぞれ両端側を連結した駆動用ロープと、該駆動用ロープを巻回ドラムに巻回した駆動用のウインチから構成されていることを特徴とするネット又はシート体の移動装置。
【発明の詳細な説明】
【技術分野】
【０００１】本発明は、屋内外の空間部にロープを介して吊り張りしたネットをウインチにより吊張移動及び収納移動するネット又はシート体の移動装置に関する。
【技術の背景】
【０００２】従来、ネット体を吊張移動及び収納移動するための装置として、下記のような装置が知られている。
【０００３】屋内施設で防球用として使用するネット体の移動装置としては、ネット体を吊り張りする空間部に沿って取り付けられたウインチ及び複数の滑車と、該ウインチの巻回ドラムと滑車間にエンドレス状に架け渡した駆動用ロープ（本発明においてロープとは、ワイヤロープ、樹脂製のロープ等の総称として使用する）と、該駆動用ロープに直接又は間接的（ガイド用のロープにネット体を移動自在に挿通し、該ネット体の先端側を駆動用ロープに連結する）に、取り付けたネット体から構成され、ウインチの巻回ドラムを回転駆動することで駆動用ロープを滑車間で移動し、該駆動用ロープに連結したネット体を空間部に吊り張り移動、又は空間部より収納移動する。
【０００４】また、屋外施設のネットの移動装置としては、空間部の周囲に立設した複数の支柱と、該支柱の上方に取り付けた滑車と、支柱の下方側に取り付けたウインチと、該ウインチの巻回ドラムと滑車との間に架け渡した駆動用ロープと、該駆動用ロープに並行に架け渡したガイド用ロープと、該ガイド用ロープに移動自在に挿通し、先端側を駆動用ロープに連結したネット体から構成され、ウインチの巻回ドラムを回転駆動して、駆動用ロープを移動することで、ガイド用のロープに沿ってネット体を上下動して空間部にネット体を吊り張り移動、又は収納移動する。
【０００５】また、上記装置においてメンテナンス等でネット体を取り外す場合は、駆動用ロープ及びガイド用ロープをそれぞれ取り外すことでネット体を取り外していた。
【発明が解決しようとする課題】
【０００６】しかしながら、上記従来のネット体の移動装置は、ネット体の取り付けられた駆動用ロープに直接ネット体の荷重がかかるために、駆動用ロープの移動に大きな駆動力を必要とし、該駆動力に対応する大きさのウインチを設置しなければならない。
【０００７】また、大きな駆動力で駆動用ロープを移動するために駆動用ロープの磨耗も発生し易く、頻繁なメンテナンスを必要とする。
【０００８】さらに、駆動用ロープはウインチの巻回ドラムと滑車間に架け渡しているために、ウインチの設置位置はロープの架け渡した範囲に限定され、設置位置が制限される欠点ある。
【０００９】また、駆動用ロープは強い張力で架け渡しているために、風が強い日にネットが風の影響を受けるとネット体による荷重の増加により、駆動用ロープの移動が困難となる、という欠点があった。
【００１０】また、ネット体をメンテナンス等で取り外す場合は、駆動用ロープ及びガイド用ロープをそれぞれ滑車とウインチより取り外さなければならずその作業が煩雑であり作業性に問題があった。
【００１１】そこで、本発明はウインチの駆動に大きな駆動力を必要とせず、最適な位置にウインチを設置することができ、風にも対応することのできるネット又はシート体の移動装置を提供することを課題とする。
【課題を解決するための手段】
【００１２】本発明が上記課題を解決するための第１の解決手段は、請求項１に記載のように、空間部に取り付けた複数の滑車と、該滑車間でエンドレス状に架け渡した吊張用ロープと、該吊張用ロープに直接又はガイド用ロープを介して取り付けられたネット又はシート体と、前記吊張用ロープの滑車への取り込み側又は滑車よりの取り出し側に連結した駆動用ロープと、該駆動用ロープを巻回ドラムに巻回した駆動用のウインチから構成されていることを特徴とする。
【００１３】また、第２の解決手段は、請求項２に記載のように、空間部に取り付けた複数の滑車と、該滑車間でエンドレス状に架け渡した吊張用ロープと、該吊張用ロープに直接又はガイド用ロープを介して取り付けられたネット又はシート体と、吊張用ロープの滑車への取り込み側及び／又は滑車よりの取り出し側の所望の位置に両端側をそれぞれ連結した駆動用ロープと、該駆動用ロープを巻回ドラムに巻回した駆動用のウインチから構成されていることを特徴とする。
【発明の作用・効果】
【００１４】次に、本発明のネット又はシート体の移動装置の作用及び効果について説明する。
【００１５】先ず、請求項１に記載のネット又はシート体の移動装置は、空間部の所望の位置に滑車を取り付け、該滑車間に吊張用ロープをエンドレス状に架け渡した後、該吊張用ロープに直接又はロープに並行に架け渡したガイド用ロープにネット又はシート体の上端側にリング等を介して移動自在に挿通し、該ネット又はシート体の先端側を吊張用ロープに連結する。
【００１６】次に、駆動用のウインチの巻回ドラムに巻回した駆動用ロープの先端側を吊張用ロープの滑車への取り込み側、又は滑車よりの取り出し側に連結する。
【００１７】この際、駆動用のウインチは吊張用ロープを直接巻回していないために、その設置位置を最適な位置に自在に決定できる。
【００１８】ネット又はシート体を吊り張りする場合は、駆動用のウインチの巻回ドラムを回転駆動し駆動用ロープを巻き取り移動することで、吊張用ロープを滑車間で移動しネット又はシート体を上方に移動することで吊り張りする。
【００１９】また、ネット又はシート体を収納する場合は、駆動用のウインチの巻回ドラムを回転駆動し駆動用ロープを引き出し移動することで、吊張用ロープを滑車間で移動しネット又はシート体を下方側に移動することで収納する。
【００２０】この際、駆動用ロープはネット又はシート体に直接連結していないために小さな駆動力でスムーズに移動できる。
【００２１】また、駆動用ロープの磨耗が少なく頻繁なメンテナンスを必要としない。
【００２２】次に、請求項２に記載のネット又はシート体の移動装置は、空間部の所望の位置に滑車を取り付け、該滑車間に吊張用ロープをエンドレス状に架け渡し、該吊張用ロープに直接又はロープに並行に架け渡したガイド用ロープにネット又はシート体の上端側にリング等を介して移動自在に挿通し、該ネット又はシート体の先端側を吊張用ロープに連結する。
【００２３】そして、駆動用のウインチの巻回ドラムに巻回した駆動用ロープの両端側を上記吊張用ロープの滑車を挟んで滑車への取り込み側及び滑車よりの取り出し側の所望の位置に連結する。
【００２４】または、駆動用ロープの両端側を滑車の取り込み側の所望の位置（両端側が近傍する位置、両端側が交差する位置等）に連結する。
【００２５】この際、駆動用のウインチはネット又はシート体の連結した吊張用ロープを直接巻回していないために、その設置位置を最適な位置に自在に決定できる。
【００２６】次に、駆動用のウインチを駆動して駆動用ロープを移動し該駆動用ロープの移動距離に応じて滑車間の吊張用ロープを移動し、該吊張用ロープに連結したネット又はシート体を吊り張り移動および収納移動する。
【００２７】この際、駆動用ロープはネット又はシート体に直接連結していないために、小さな駆動力でスムーズに移動できる。
【００２８】また、駆動用ロープの移動距離が少なく、小さな駆動力で移動するために、駆動用ロープ及び吊張用ロープの磨耗が少なく頻繁なメンテナンスを必要としない。
【００２９】このように、本発明のネット又はシート体の移動装置は、駆動用ロープが直接ネット又はシート体に連結されていないために、滑車間でネット又はシート体を吊り張りした状態で取り外して収納でき、装置のメンテナンスを安全に行うことができる。
【００３０】また、駆動用ロープは強い張力で架け渡す必要がないので、風の強い日でもスムーズに移動することができる。
【００３１】また、駆動用ロープで吊張用ロープを移動するために、従来のように強く緊張した状態で吊張用ロープを滑車間に架け渡す必要がなく、滑車間での吊張用ロープの移動がスムーズである。
【００３２】さらに、吊張用ロープ及び滑車の耐久性が高くなり、頻繁なメンテナンスを必要としない。
【発明を実施するための最良の実施の形態】
【００３３】以下、本発明のネット又はシート体の移動装置の各実施例について図面に沿って説明する。
【００３４】図１は本発明のネット又はシート体の移動装置の第１実施例を示す概略説明正面図であり、図２は駆動用ロープと吊張用ロープの連結を示す概略説明正面図であり、図３は図１のネット又はシート体の移動装置の吊張移動を示す概略説明正面図であり、図４は図２のネット又はシート体の移動装置の収納移動を示す概略説明正面図であり、図５は本発明のネット又はシート体の移動装置の第２実施例を示す概略説明正面図であり、図６は本発明のネット又はシート体の移動装置の第３実施例を示す概略説明正面図であり、図７は本発明のネット又はシート体の移動装置の第４実施例を示す概略説明正面図であり、図８は本発明のネット又はシート体の移動装置の第５実施例を示す概略説明正面図であり、図９、図１０、図１１は図８の駆動用ロープの連結を示す概略説明正面図であり、図１２は本発明のネット又はシート体の移動装置の第６実施例を示す概略説明正面図であり、図１３は図１２のネット又はシート体の移動装置の吊張移動を示す概略説明正面図であり、図１４は図１２のネット又はシート体の移動装置の収納移動を示す概略説明正面図であり、図１５は本発明のネット又はシート体の移動装置の第７実施例を示す概略説明正面図であり、図１６は本発明のネット又はシート体の移動装置の第８実施例を示す概略説明正面図であり、図１７は本発明のネット又はシート体の移動装置の第９実施例を示す概略説明正面図である。
【００３５】（第１実施例）
本発明のネット又はシート体の移動装置１は、空間部の対向する両側面に取り付けた一対の滑車２と、該滑車２間にエンドレス状に架け渡した吊張用ロープ３と、該吊張用ロープ３の下方近傍で並行に架け渡した一本のガイド用ロープ４と、該ガイド用ロープ４に移動自在に挿通し、先端側を吊張用ロープ３に固定連結したネット体（又はシート体）５と、前記吊張用ロープ３にその両端側を連結した駆動用ロープ６と、該駆動用ロープ６を巻回ドラム１１に巻回したエンドレス方式の駆動用のウインチ７から構成されている。
【００３６】前記ネット体５は上端側に取り付けられた複数のリング８をガイド用ロープ４に挿通することで移動自在に取り付けられる。
【００３７】前記駆動用ロープ６の両端側の連結は、移動方向の相違する滑車２への吊張用ロープ３の取り込み側及び滑車３より吊張用ロープ３の取り出し側に連結具９を介して連結する。
【００３８】この際、駆動用ロープ６はより戻し１０を用いて連結することで、移動時に発生する駆動用ロープ６の捩れ等を解消しながら移動することができる。
【００３９】上記駆動用ロープ６は、ウインチ７の巻回ドラム１１に巻回し、該巻回ドラム１１を正方向（時計方向）又は逆方向に回転駆動することで、駆動用ロープ６を移動し、該駆動用ロープ６の移動距離に応じて吊張用ロープ３を移動する。
【００４０】このため、ウインチ７は駆動用ロープ６のみを移動し、小さな駆動力で十分にネット体５の移動を行うことができる。
【００４１】また、駆動用ロープ６の長さはウインチ７の設置位置と吊張用ロープ３の連結部間の距離で十分で、従来のように滑車間に架け渡す長さを必要としない。
【００４２】また、駆動用ロープ６は吊張用ロープ３に連結して移動するために、ウインチ７はネット体５の吊張方向に限定されることなく、例えば屋内空間部では床面側、屋外空間部では地面側に設置する等、最適な位置に設置することができる。
【００４３】さらに、駆動用ロープ６は直接ネット体５を連結していないために、従来のように強い張力で架け渡す必要がなく、その取り付け及び取り外しが容易であり、また、スムーズな移動を可能とする。
【００４４】次に、上記ネット又はシート体の移動装置１を屋内施設に設置し、使用する場合について説明する。
【００４５】先ず、屋内施設のネット体５を吊り張りする空間部２０に沿って対向する位置に滑車２を水平方向に２個取り付け、該滑車２間に吊張用ロープ３をエンドレス状に架け渡し、該吊張用ロープ３に沿って下方側近傍に並行にガイド用ロープ４を架け渡し、該ガイド用ロープ４にネット体５の上端側に取り付けられたリング８を介して移動自在に挿通し、その先端側を前記吊張用ロープ３に固定連結する。
【００４６】その後、上記吊張用ロープ３の滑車２への取り込み側および滑車２よりの取り出し側、即ち滑車２を介して移動方向が相違する側に駆動用ロープ６の両端側をそれぞれ連結具９を介して連結する。
【００４７】尚、前記駆動用ロープ６は駆動用のウインチ７の巻回ドラム１１に巻回し巻回ドラム１１の回転駆動により移動する。
【００４８】この際、駆動用ロープ６は吊張用ロープ３に連結して移動するためにネット体５の吊張方向に関係することなく空間部２０に架け渡すことができ、駆動用のウインチ７は空間部２０の下方側等の適切な位置に設置できる。
【００４９】次に、駆動用のウインチ７を駆動し巻回ドラム１１を正方向に回転すると駆動用ロープ６はＸ方向（図３参照）に移動し、該駆動用ロープ６の移動に沿って吊張用ロープ３は滑車２間で移動しネット体５の先端側を引っ張りながらネット体５をガイド用ロープ４に沿って空間部２０に吊り張り移動する。
【００５０】また、駆動用のウインチ７を駆動し巻回ドラム１１を逆方向に回転すると、駆動用ロープ６はＹ方向（図４参照）に移動し、該駆動用ロープ６の移動に沿って吊張用ロープ３は滑車２間で上記と逆方向に移動して、ネット体５の先端側を逆方向に引っ張りながらネット体５をガイド用ロープ４に沿って収納移動する。
【００５１】この際、駆動用ロープ６は、吊張用ロープ３を移動するだけでネット体５を移動することができ、その荷重が直接駆動用ロープ６にかからないために、小さな駆動力でウインチ７を駆動することができ、スムーズなネット体５の移動が可能である。
【００５２】また、駆動用ロープ６にネット体５の荷重が直接かからないために、移動時に駆動用ロープ６の捩れ等が発生しにくく、駆動用ロープ６の磨耗が少ない。
【００５３】また、吊張用ロープ３は駆動用ロープ６で移動するために、直接駆動移動する場合に比してスムーズに移動し、滑車２への負荷も少ない。
【００５４】しかも、駆動用ロープ６を移動するウインチ７の設置を最適な場所に設置できるのでそのメンテナンスが容易である。
【００５５】（第２実施例）
本発明のネット又はシート体の移動装置１の第２実施例について説明する。
【００５６】本発明の実施例は、屋内の空間部２０に複数のネット５を吊り張りし同時に吊り張り移動及び収納移動するのに使用する。
【００５７】上記ネット又はシート体の移動装置１（図５を参照）は、空間部２０に取り付けた複数の滑車２と、該滑車２間に略Ｅ字エンドレス状に架け渡した吊張用ロープ３と、該吊張用ロープ３に直接移動自在に挿通し先端側を吊張用ロープ３に固定連結した３枚のネット体５と、前記吊張用ロープ３の移動方向が相違する部分に両端側をそれぞれ連結した駆動用ロープ６と、該駆動用ロープ６を巻回ドラム１１に巻回したエンドレス方式の駆動用のウインチ７から構成されている。
【００５８】そして、駆動用のウインチ７の巻回ドラム１１を正方向に回転駆動し駆動用ロープ６を移動することで、該駆動用ロープ６に直接連結された３枚のネット体５を同時に吊り張り移動する。
【００５９】また、上記巻回ドラム１１を逆方向に回転駆動し、駆動用ロープ６を移動することで、該駆動用ロープ６に直接連結された３枚のネット体５を収納移動する。
【００６０】この際、駆動用ロープ６はネット体５に直接連結していないために、小さな駆動力で複数枚のネット体５をスムーズに同時に移動することができる。
【００６１】また、ウインチ７の設置位置も最適な位置に設置でき、メンテナンスが容易である。
【００６２】（第３実施例）
本発明のネット又はシート体の移動装置１は、屋外の空間部２０の外周に沿って立設した複数の支柱２１に取り付けられ、空間部２０の防球用としてのネット体５を昇降移動するのに使用する。
【００６３】上記ネット又はシート体の移動装置１（図６参照）は、支柱２１の上下方向に取り付けられた滑車２と、該滑車２間にエンドレス状に架け渡した吊張用ロープ３と、該吊張用ロープ３に沿って並行に架け渡したガイド用ロープ４と、該ガイド用ロープ４に移動自在に挿通し、上端側を吊張用ロープ３に連結したネット体５と、前記吊張用ロープ３の滑車２を介して移動方向が相違する側にその両端部をそれぞれ連結した駆動用ロープ６と、該駆動用ロープ６を巻回ドラム１１に巻回したエンドレス方式の駆動用のウインチ７から構成されている。
【００６４】上記ウインチ７は、支柱２１の下端側に自在に設置できるために、ネット体５の邪魔にならない位置に設置できる。
【００６５】次に、ネット体５を昇降移動する場合は、ウインチ７の巻回ドラム１１を回転駆動して駆動用ロープ６を移動し、吊張用ロープ３を滑車２間で移動してネット体５の先端側を上方側に引っ張りガイド用ロープ４に沿ってネット体５を上昇移動する。これによりネット体５を支柱２１に沿って吊張移動する。
【００６６】また、前記ウインチ７の巻回ドラム１１を逆方向に回転駆動し、ネット体５の先端側を下方側に引っ張りガイド用ロープ４に沿ってネット体５を下降移動する。これにより、ネット体５を支柱２１に沿って収納移動する。
【００６７】このように、吊張用ロープ３を上下方向に移動する場合であっても少ない駆動力でウインチ７を駆動できる。
【００６８】このため、吊張用ロープ３及び駆動用ロープ６の磨耗が少なく頻繁なメンテナンスを必要としない。
【００６９】また、ネット体５が風の影響を受けても、吊張用ロープ３でその荷重を受け、駆動用ロープ６は該吊張用ロープ３の移動のみに使用するために、状来に比しスムーズにネット体５を下降移動することができる。
【００７０】上記ウインチ７をキャプスタン方式のウインチに取替え、駆動用ロープ６を鼓形のキャプスタン（図示せず）の外周面に複数回巻き付けて移動することも可能である。
【００７１】（第４実施例）
本発明のネット又はシート体の移動装置１は、屋内の空間部２０の対向する側面間に設けられたネット体５を取り外して収納移動するのに使用する。
【００７２】上記ネット又はシート体の移動装置（図７参照）１は、空間部２０の対向する側面に設けられた滑車２と、該滑車２間にエンドレス状に架け渡した吊張用ロープ３と、該吊張用ロープ３に移動自在に挿通し先端側を連結したネット体５と、前記吊張用ロープ３の滑車２への取り込み側及び滑車２よりの取り出し側に両端側をそれぞれ連結した駆動用ロープ６と、該駆動用ロープ６を巻回ドラム１１に巻回したエンドレス方式の駆動用のウインチ７と、各滑車２の近傍に設けられた巻回した移動用ロープ１２の先端側を滑車２に連結した巻き取り方式の移動用のウインチ１４と、他方のウインチ７又は他方の滑車２に連結した移動用ロープ１６を巻回した移動用のウインチ１５から構成されている。
【００７３】前記滑車２は取り外し可能に取り付けられ、ネット体５を収納時に取り外す。この際、滑車２に連結した移動用ロープ１２を引き出すことで、取り外した滑車２ごと下方に移動して装置１全体を取り外しできる。
【００７４】先ず、ネット体５を収納移動する場合は、駆動用のウインチ７の巻回ドラム１１を回転駆動し、駆動用ロープ６を移動して、ネット体５を吊張用ロープ３とともに一方の滑車２側に移動する。
【００７５】その後、駆動用ロープ６の一端側の連結部を連結具９より解除し滑車２をそれぞれ空間部２０の取り付け位置より取り外す。
【００７６】そして、一方の移動用のウインチ１４を駆動し移動用ロープ１２を引き出すことともに、他方の移動用のウインチ１５を駆動し移動用ロープ１６を引き出して、ネット体５の連結された状態で滑車２間、又は滑車２とウインチ７間で空間部２０の下方側に移動する。
【００７７】そして、上記空間部２０の下方に移動した滑車２は連結した移動用ロープ１２を取り外し、ネット体５を収納する。また、ネット体５のメンテナンス作業時においても同様にネット体５を下方に移動してそのメンテナンスを行う。
【００７８】このように、本発明のネット又はシート体の移動装置１は、滑車２間を吊張用ロープ３を架け渡し、該吊張用ロープ３でネット体５を移動するために、駆動用ロープ６を取り外すだけで、ネット体５部分の取り外しが容易に行える。
【００７９】また、駆動用ロープ６にかかる負担が少ないので、風の影響を受けても小さな駆動力で駆動用のウインチ７を駆動して駆動用ロープ６を移動することができる。
【００８０】（第５実施例）
本発明のネット又はシート体の移動装置１は、屋外の空間部２０の外周に沿って立設した複数の支柱２１に取り付けられ、空間部２０の防球用としてのネット体５を昇降移動するのに使用する。
【００８１】上記ネット又はシート体の移動装置１（図８参照）は、支柱２１の上下方向に取り付けられた滑車２と、該滑車２間にエンドレス状に架け渡した吊張用ロープ３と、該吊張用ロープ３に沿って平衡に架け渡したガイド用ロープ４と、該ガイド用ロープ４に移動自在に挿通し、上端側を吊張用ロープ３に連結したネット体５と、前記吊張用ロープ３のネット体５側にその両端側をそれぞれ連結した駆動用ロープ６と、該駆動用ロープ６を巻回ドラム１１に巻回したエンドレス方式の駆動用のウインチ７から構成されている。
【００８２】上記駆動用ロープ６は、前記滑車２の上方に取り付けられた滑車２Ａを介して一端側６Ａを架け渡してネット体５側の吊張用ロープ６に連結している。
【００８３】駆動用ロープ６の吊張用ロープ３への連結は、その両端側６Ａ、６Ｂを近接して連結する場合（図９参照）、両端側６Ａ、６Ｂを交差して連結する場合（図１０参照）、又は両端側６Ａ、６Ｂ間に補強体６Ｃを設ける場合（図１１参照）等、ネット体５の荷重、空間部２０の面積等に応じて決定する。
【００８４】次に、ネット体５を昇降移動する場合は、ウインチ７の巻回ドラム１１を回転駆動して駆動用ロープ６を滑車２Ａ間で移動することで吊張用ロープ３を滑車２間で移動してネット体５の先端側を上方側に引っ張りガイド用ロープ４に沿ってネット体を上昇移動する。これにより、スムーズにネット体５を支柱２１に沿って吊り張り移動する。
【００８５】また、前記ウインチ７の巻回ドラムを逆方向に回転駆動し、ネット体５の先端側を下方側に引っ張りガイド用ロープ４に沿ってネット体５を下降移動する。これにより、ネット体５を支柱２１に沿って収納移動する。
【００８６】上記、ネット体５の吊り張り及び収納移動時に、吊張用ロープ３の架け渡し方向に沿って駆動用ロープ６が設けられるために、ネット体５の荷重を分散して移動できる。また、吊張用ロープ３を強く緊張することなく架け渡すことができるので、スムーズな移動を可能とする。
【００８７】（第６実施例）
本発明のネット又はシート体の移動装置１は、巻き取り方式のウインチ７を用いてネット体５を移動する。
【００８８】上記ネット又はシート体の移動装置１（図１２参照）は、支柱２１の上下方向に取り付けた滑車２と、該滑車２間にエンドレス状に架け渡した吊張用ロープ３と、該吊張用ロープ３に沿って並行に架け渡したガイド用ロープ４と、該ガイド用ロープ４に移動自在に挿通しその先端側を吊張用ロープ３に連結したネット体５と、前記吊張用ロープ３にその先端側を連結した駆動用ロープ６と、該駆動用ロープ６を巻回ドラム１１に巻き取りした巻き取り方式の駆動用のウインチ７Ａから構成されている。
【００８９】上記ネット又はシート体の移動装置１を用いてネット体５を吊り張りする場合は、先ず、ウインチ７Ａの巻回ドラム１１を回転駆動し駆動用ロープ６を滑車２間で巻き取ることで、吊張用ロープ３を移動し該吊張用ロープ３に先端側を連結したネット体５をガイド用ロープ４に沿って上方に移動し空間部２０に吊り張りする。
【００９０】また、ウインチ７の巻回ドラム１１を回転駆動し駆動用ロープ６を滑車２間で引き出すことで、吊張用ロープ３を移動しネット体５をガイド用ロープ４に沿って下方側に移動する。
【００９１】上記装置１は、ウインチ７Ａを小さな駆動力で駆動できるので、駆動用ロープ６の磨耗が少なくスムーズに移動することができる。
【００９２】また、駆動用ロープ６の吊張用ロープ３への連結はその先端側を滑車２間で連結するだけなので、その連結が容易であり、またメンテナンスにおいても容易に行える。
【００９３】尚、上記ウインチ７Ａは巻き取り方式に限定されるものでなく、エンドレス方式のウインチ７とリールを用いて駆動用ロープ６を巻き取り及び引き出し移動することも可能である。
【００９４】（第７実施例）
本発明のネット又はシート体の移動装置１（図１５参照）は、第５実施例におけるウインチ７Ａの駆動用ロープ６を滑車２を越えて移動すべく滑車２を二重滑車２として形成し、ネット体５側近傍又は直接連結した構成で、ネット体５を吊張用ロープ３とともに移動することで、より安全にネット体５を昇降移動する。
【００９５】このように、本発明のネット又はシート体の移動装置１は、その取り付けが容易であり、しかも小さな駆動力で駆動用ロープ６を移動することができる。
【００９６】また、ネット体５の移動において、吊張用ロープ３と駆動用ロープ６が分離しているために、ネット体５の昇降時にトラブルが発生しても、その発生箇所の特定が容易であり、且つ補修も行ない易い利点がある。
【００９７】（第８実施例）
本発明のネット又はシート体の移動装置１（図１６参照）は、滑車２間に水平方向に架け渡した吊張用ロープ３と、該吊張用ロープ３の相違する移動方向にその両端側を連結した駆動用ロープ６と、該駆動用ロープ６を巻回ドラム１１に巻回したエンドレス方式のウインチ７と、前記吊張用ロープ６に先端を連結し、レール３２に沿って移動する立設した複数本の支持棒３１と、該支持棒３１に取り付けられたシート体５から構成されている。
【００９８】上記ウインチ７を駆動して駆動用ロープ６を移動することで、滑車２間で吊張用ロープ３を移動して支持棒３１をレール３２に沿って移動してシート体５を広げて空間部の上方にシート体５を吊り張り又はシート体５を一方側に収納する。
【００９９】このように、駆動用ロープ６が支持棒３１に直接連結していないためにシート体５をスムーズに移動することができる。
【０１００】また、駆動用ロープ６の取り付け及びメンテナンスが容易である。
【０１０１】（第９実施例）
本発明のネット又はシート体の移動装置１（図１７参照）は、滑車２間に架け渡した吊張用ロープ３に一端側を連結した複数本の吊下用ロープ２６と、滑車２５を介して吊り下げた吊下用ロープ２６の他端側に連結したネット体５から構成され、上記吊張用ロープ３に両端側を連結された駆動用ロープ６をウインチ７で移動することで、滑車２間で吊張用ロープ３を移動し同時に複数本の吊下用ロープ２６を上方又は下方側に移動してネット体５を吊り張り及び収納移動する。
【０１０２】このように、吊張用ロープ３にネット体５の過重がかかる場合であっても駆動用ロープ６が別体であるために、スムーズに吊張用ロープ３を移動することができる。
【図面の簡単な説明】
【０１０３】
【図１】本発明のネット又はシート体の移動装置の第１実施例を示す概略説明正面図
【図２】駆動用ロープの連結を示す概略説明正面図
【図３】図１のネット又はシート体の移動装置の吊張移動を示す概略説明正面図
【図４】図１のネット又はシート体の移動装置の収納移動を示す概略説明正面図
【図５】本発明のネット又はシート体の移動装置の第２実施例を示す概略説明正面図
【図６】本発明のネット又はシート体の移動装置の第３実施例を示す概略説明正面図
【図７】本発明のネット又はシート体の移動装置の第４実施例を示す概略説明正面図
【図８】本発明のネット又はシート体の移動装置の第５実施例を示す概略説明正面図
【図９】図８の駆動用ロープの吊張用ロープへの連結を示す概略説明正面図
【図１０】図８の駆動用ロープの吊張用ロープへの連結を示す概略説明正面図
【図１１】図８の駆動用ロープの吊張用ロープへの連結を示す概略説明正面図
【図１２】本発明のネット又はシート体の移動用装置の第６実施例を示す概略説明正面図
【図１３】図１２のネット又はシート体の移動装置の吊張移動を示す概略説明正面図
【図１４】図１２のネット又はシート体の移動装置の収納移動を示す概略説明正面図
【図１５】本発明のネット又はシート体の移動装置の第７実施例を示す概略説明正面図
【図１６】本発明のネット又はシート体の移動装置の第８実施例を示す概略説明正面図
【図１７】本発明のネット又はシート体の移動装置の第９実施例を示す概略説明正面図
【符号の説明】
【０１０４】１−ネット又はシート体の移動装置、２−滑車、３−吊張用ロープ、５−ネット体（シート）
【図１】
2012136353.tif 000003
【図２】
2012136353.tif 000004
【図３】
2012136353.tif 000005
【図４】
2012136353.tif 000006
【図５】
2012136353.tif 000007
【図６】
2012136353.tif 000008
【図７】
2012136353.tif 000009
【図８】
2012136353.tif 000010
【図９】
2012136353.tif 000011
【図１０】
2012136353.tif 000012
【図１１】
2012136353.tif 000013
【図１２】
2012136353.tif 000014
【図１３】
2012136353.tif 000015
【図１４】
2012136353.tif 000016
【図１５】
2012136353.tif 000017
【図１６】
2012136353.tif 000018
【図１７】
2012136353.tif 000019
【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
空間部に取り付けた複数の滑車と、該滑車間でエンドレス状に架け渡した吊張用ロープと、該吊張用ロープに沿って架け渡したガイド用ロープを介して取り付けられたネット体又はシート体と、前記吊張用ロープを架け渡した後、吊張用ロープの滑車への取り込み側又は滑車よりの取り出し側に連結した駆動用ロープと、該駆動用ロープを巻回ドラムに巻回した巻き取り方式の駆動用のウインチから構成されていることを特徴とするネット体又はシート体の移動装置。
【請求項２】
空間部に取り付けた複数の滑車と、該滑車間でエンドレス状に架け渡した吊張用ロープと、該吊張用ロープに直接又はガイド用ロープを介して取り付けられたネット体又はシート体と、前記吊張用ロープを架け渡した後、吊張用ロープの移動方向の相違する滑車への取り込み側及び滑車よりの取り出し側の所望の位置にそれぞれ両端側を連結した駆動用ロープと、該駆動用ロープを巻回ドラムに巻回したエンドレス方式の駆動用のウインチから構成されていることを特徴とするネット体又はシート体の移動装置。
【手続補正２】
【補正対象書類名】明細書
【補正対象項目名】００１２
【補正方法】変更
【補正の内容】
【００１２】本発明が上記課題を解決するための第１の解決手段は、請求項１に記載のように、空間部に取り付けた複数の滑車と、該滑車間でエンドレス状に架け渡した吊張用ロープと、該吊張用ロープに沿って架け渡したガイド用ロープを介して取り付けられたネット体又はシート体と、前記吊張用ロープを架け渡した後、吊張用ロープの滑車への取り込み側又は滑車よりの取り出し側に連結した駆動用ロープと、該駆動用ロープを巻回ドラムに巻回した巻き取り方式の駆動用のウインチから構成されていることを特徴とする。
【手続補正３】
【補正対象書類名】明細書
【補正対象項目名】００１３
【補正方法】変更
【補正の内容】
【００１３】また、第２の解決手段は、請求項２に記載のように、空間部に取り付けた複数の滑車と、該滑車間でエンドレス状に架け渡した吊張用ロープと、該吊張用ロープに直接又はガイド用ロープを介して取り付けられたネット体又はシート体と、前記吊張用ロープを架け渡した後、吊張用ロープの移動方向の相違する滑車への取り込み側及び滑車よりの取り出し側の所望の位置に両端側をそれぞれ連結した駆動用ロープと、該駆動用ロープを巻回ドラムに巻回したエンドレス方式の駆動用ウインチから構成されていることを特徴とする。
【手続補正４】
【補正対象書類名】明細書
【補正対象項目名】００１６
【補正方法】変更
【補正の内容】
【００１６】次に、巻き取り方式の駆動用のウインチの巻回ドラムに巻回した駆動用ロープの先端側を吊張用ロープの滑車への取り込み側、又は滑車よりの取り出し側に連結する。
【手続補正５】
【補正対象書類名】明細書
【補正対象項目名】００２３
【補正方法】変更
【補正の内容】
【００２３】そして、エンドレス方式の駆動用のウインチの巻回ドラムに巻回した駆動用ロープの両端側を上記吊張用ロープの移動方向の相違する滑車を挟んで滑車への取り込み側及び滑車よりの取り出し側の所望の位置に連結する。